(57)【要約】【課題】片面記録再生可能光ディスクを収納するカートリッジと、両面記録再生可能光ディスクを収納するカートリッジとはそれぞれ別仕様であるため、高価である。【解決手段】カートリッジ１は、両面記録再生可能光ディスク用カートリッジの形態と基本的に同じであり、両面記録再生可能光ディスクを収納したカートリッジにおける一方の情報層に対する記録可否識別子１０ａと、他方の情報層に対する片面記録識別孔１０ｂを備えることにより、光ディスク装置の記録可否検知部が記録不可識別孔１０ｂを検知することにより、カートリッジ１に収納した光ディスクが片面仕様であると認識することができる。当該カートリッジ１を両面記録再生可能光ディスク用に適用する際には、片面記録識別孔１０ｂのみの金型を変えるだけで対応できるため安価である。【選択図】図１
2006127557.tif 000002
【特許請求の範囲】
【請求項１】
ユーザデータ信号を記録再生するデータ領域及び前記データ領域の内周にデータの帰属を示す情報を記録したリードイン領域を備える円盤状記録媒体を収納する媒体収納部と、前記媒体収納部を形成する略矩形形状の一対の板部と、前記板部を前記媒体収納部の高さだけの間隙を規定する一対の側壁と、前記媒体収納部から前記円盤状記録媒体を外部に取り出す取出口を開閉する開閉蓋と、前記板部に備え前記円盤状記録媒体を一部露出する開口部と、前記開口部を開閉するシャッター部材と、前記一対の側壁の前記開閉蓋側に凹状に前記円盤状記録媒体側に陥没する一対のグリッパースロット部と、前記一対の側壁の前記シャッター部材側に略三角形状に前記円盤状記録媒体側に陥没する一対のオートローディング引掛け部と、前記開閉蓋を解放し前記円盤状記録媒体が前記媒体収納部から取り出された可能性を識別させる爪部と、前記円盤状記録媒体への記録可否を設定する記録可否設定部とを備え、
前記媒体収納部に収納する前記円盤状記録媒体は一方の面にのみ記録が可能な情報層を有する片側記録媒体であり、
前記記録可能な情報層に対する記録可否を設定する前記記録可否設定部と、
前記円盤状記録媒体の基板を介して前記記録可能な情報層と対向する前記板部の面に対し片面記録媒体を識別する片面記録識別孔を穿ったことを特徴とするカートリッジ。
【請求項２】
前記円盤状記録媒体の基板を介して前記記録可能な情報層と対向する前記板部において、前記一対のオートローディング引掛け部側を上側、前記一対のグリッパースロット部を下側として見た時、前記開閉蓋の外面から２２．８ｍｍ以上２３．２ｍｍ以下、かつ右側側壁の外面から１１．０ｍｍ以上１１．４ｍｍ以下の範囲の何れかの点を中心点とする直径４．００ｍｍ以上４．０１ｍｍ以下の円形形状のロケーション穴を当該板部に備え、
前記片面記録識別孔は、前記ロケーション穴の中心点から当該右側側壁に平行に前記開閉蓋方向に１８．４５ｍｍ以上１８．５５ｍｍ以下、かつ前記ロケーション穴の中心点から当該開閉蓋に平行に左側側壁方向に３．４５ｍｍ以上３．５５ｍｍ以下の範囲の何れかの点を中心点とし、３．１ｍｍ以上３．２ｍｍ以下の直径の円形形状であることを特徴とする請求項１記載のカートリッジ。
【発明の詳細な説明】
【技術分野】
【０００１】
本発明は、円盤状記録再生媒体を収納するカートリッジに関する。
【背景技術】
【０００２】
光ディスクは再生専用の光ディスクとカートリッジケースに収納された書換型の光ディスクがある。そして、書換型光ディスクを再生専用の光ディスク装置で再生したい要望があり、ディスクの取り出しが可能なカートリッジが提案されている。従来のディスクの取り出しが可能なカートリッジの一例が、特許文献１に記載されている。図５は従来のディスクの取り出しが可能なカートリッジの平面図、図６はかかるカートリッジの爪部の拡大図、図７はかかるカートリッジからディスクを取り出す工程を示す平面図である。図５および図６において、カートリッジ１０１は、その内部にディスク１０２が収納されており、カートリッジ本体１０３と開閉蓋１０４から構成されている。カートリッジ本体１０３にはディスク１０２を露出できる開口窓１０５が形成されており、開口窓１０５は開閉自在なシャッタ１０６にて閉塞されている。光ディスク装置にカートリッジ１０１が装着されると自動的にシャッタ１０６は移動し開口窓１０５が露出するようになっている。また、カートリッジ本体１０３には、ディスク１０２を取り出すための開口部１０７が設けられている。開閉蓋１０４は開口部１０７を覆うものであり、開閉蓋１０４の一端はカートリッジ本体１０３に形成された回動軸１０８を中心に回動可能に取り付けられている。開閉蓋１０４の他端は係合部１０９を有し、この係合部１０９がカートリッジ本体１０３の被係合部１１０と係合することで開口部１０７を開閉蓋１０４で覆った状態で保持できる構成になっている。カートリッジ本体１０３に形成された爪部１１１は、光ディスク装置に具備された検出器と係合してディスク１０２が取り出されたことがあるか否かを指示する指示部の機能を有している。爪部１１１はその数箇所がカートリッジ本体１０３と接続部１１２により接続されており、開閉蓋１０４に設けられた溝部１１３と嵌合している。従って、通常の使用状態では、この接続部１１２を切断し爪部１１１をカートリッジ本体１０３から取り外さない限り、開閉蓋１０４は回動できず光ディスク１０２を取り出すことはできない構成となっている。さらに開閉蓋１０４には記録可能か記録禁止かを使用者が選択できる可動子１１５を有する記録禁止用識別孔１１４が設けられている。例えば可動子１１５が記録禁止用識別穴１１４を塞いだ状態が記録可能、塞いでいない状態が記録禁止となっている。
【０００３】
ディスク取り出し手順について図７を用いて説明する。（ａ）の初期の状態から、接続部１１２を切断して爪部１１１を取り外し（ｂ）の状態にした後、開閉蓋１０４を回動軸１０８周りに回動させて（ｃ）の状態にしてディスク１０２を取り出す。ディスク１０２を一度取り出すと爪部１１１がなくなるので、ディスクを取り出したかどうか使用者は識別ができる。また、この爪部１１１の有無を信号記録装置である光ディスク装置が検出することで、ディスクへの適切な記録方法を設定することができる。例えば、ディスクがカートリッジから取り出された際に、指紋やほこりが付着するおそれがある場合には、爪部１１１がある時はディスクへの記録が可能であるが、爪部１１１がない時は、例え記録禁止用識別穴１１４が記録可能な状態であっても、記録を禁止する、あるいは欠陥検査をした後にディスクへの記録を可能する等の処理を行うことができる。
【０００４】
この取出可能型カートリッジは、ＤＶＤレコーダの発売によってニーズが加速され、現在のディスクカートリッジの主流となっており、特許文献１に開示の技術で、カートリッジ１０１に収納された光ディスク１０２を取り出すことは可能であり、また光ディスク１０２が取り出された可能性を検知して、記録動作を禁止または欠陥検出等を光ディスク装置で行うことにより、光ディスク１０２の記録に対する信頼性は確保できる。
【０００５】
しかしながら、図５〜図７で説明したカートリッジ１０１に収納する光ディスク１０２は、基板の両側に情報層を備える両面記録再生光ディスクを適用する場合も、片面のみに情報層を備える片面記録再生光ディスクの双方に適用できることが要請される。片面記録再生用４．７ＧＢＤＶＤ−ＲＡＭディスクを収納するカートリッジとして、例えば図３に示したタイプが知られている。すなわち、図３Ａは片面記録再生光ディスク２００を収納したカートリッジ２１の平面図であり、図３Ｂは片面記録再生光ディスク２００をカートリッジ２１から取り出す様子を示した平面図である。カートリッジ２１は、一対の板部２２ａと不図示の板部（以下板部２３ｂと称す）との間隙に光ディスク２００を収納し、側壁２３ａ及び２３ｂによって当該間隙は規定される。側壁２３ａ及び２３ｂを連設する一方の壁面には回動軸２３ａ周りに回動する開閉蓋２４を備え、開閉蓋２４の板部２３ａ及び２３ｂを介してシャッター２５を備える。なお、シャッター２５は、板部２２ａ及び２２ｂに備え、光ディスク２００の情報層の一部を露出するる開口窓２９を開閉する。また、側壁２３ａ及び２３ｂには凹形状に光ディスク２００側に陥没した一対のグリッパースロット２６ａ及び２６ｂを備え、シャッター２５側にはオートローディング引掛け（オートローディングディテントとも称される）２７ａ及び２７ｂが光ディスク２００側に陥没して備える。このグリッパースロット２６ａ及び２６ｂの陥没部には、不図示の光ディスク装置が備える突起が嵌合することで、カートリッジ２１の位置決めを行う。開閉蓋２４には光ディスク２００の情報層に記録可能かまたは記録不可かを識別する記録禁止識別子２８ａをスライドスイッチで備え、不図示の光ディスク装置のトレイに備える検出凸部により孔が開いている場合には当該孔に進入することで一般的に記録不可状態と検知し、孔が塞がれている場合は当該孔に進入しないため記録可能であると検知する。さらに、開閉蓋２４には間には爪３０ａを備え、爪３０ａが板部２２ａ及び２２ｂと開閉蓋２４とに係合しているため開閉蓋２４を回動軸２４ａの周りの回動を抑制し、光ディスク２００をカートリッジ２１から取り出すことができないが、図３Ｂに示したように爪３０ａを除去し、孔３０ｂとすることで開閉蓋２４は回動軸２４ａの周りに回動することができ光ディスク２００を取り出すことができる。
【０００６】
図３Ａ及び図３Ｂに示したカートリッジ２１が収納する光ディスク２００は片面記録再生ディスクであるため、不図示の光ディスク装置の光ピックアップで記録再生する情報層は板部２２ｂに対向しており、板部２２ａと対向する光ディスク２００の面は例えばレーベルや情報層を備えるにしても記録できない処理（例えば、光ディスク２００の内周のリードイン領域に情報を読み取れない処理を施す等）を施す。ユーザが誤って記録不能面を光ディスク装置のピックアップで照射することがないように、カートリッジ２１のグリッパースロット２６ａ及び２６ｂとオートローディング引掛け２７ａ及び２７ｂ上の板部２２ａ側は、図示のように板部２２ａで陥没部を覆う構成とすることで誤装着を抑制している。また、上述したように光ディスク２００は片面記録再生光ディスクであるため、記録禁止識別子も２８ａのみ備えている。
【０００７】
一方、特にＤＶＤレコーダ等の動画映像音声信号を記録する用途には、片面だけでは不十分となる場合が多いため、両面記録再生ディスクにも対応することが要請される。両面記録再生ディスク用のカートリッジとしては、例えば図４に示したタイプが知られている。すなわち、図４Ａは両面記録再生光ディスク３００を収納したカートリッジ３１の平面図であり、図４Ｂは両面記録再生光ディスク３００をカートリッジ３１から取り出す様子を示した平面図である。カートリッジ３１は、一対の板部３２ａと不図示の板部（以下板部３３ｂと称す）との間隙に光ディスク３００を収納し、側壁３３ａ及び３３ｂによって当該間隙は規定される。側壁３３ａ及び３３ｂを連設する一方の壁面には回動軸３３ａ周りに回動する開閉蓋３４を備え、開閉蓋３４の板部３３ａ及び３３ｂを介してシャッター３５を備える。なお、シャッター３５は、板部３２ａ及び３２ｂに備え、光ディスク３００の情報層の一部を露出するる開口窓３９を開閉する。また、側壁３３ａ及び３３ｂには凹形状に光ディスク３００側に陥没した一対のグリッパースロット３６ａ及び３６ｂを備え、シャッター３５側にはオートローディング引掛け３７ａ及び３７ｂが光ディスク３００側に陥没して備える。このグリッパースロット３６ａ及び３６ｂの陥没部には、不図示の光ディスク装置が備える突起が嵌合することで、カートリッジ３１の位置決めを行う。開閉蓋３４には光ディスク３００の情報層に記録可能かまたは記録不可かを識別する記録禁止識別子３８ａ及び３８ｂをスライドスイッチで備え、不図示の光ディスク装置のトレイに備える検出凸部により孔が開いている場合には当該孔に進入することで一般的に記録不可状態と検知し、孔が塞がれている場合は当該孔に進入しないため記録可能であると検知する。さらに、開閉蓋３４には間には爪４０ａを備え、爪４０ａが板部３２ａ及び３２ｂと開閉蓋３４とに係合しているため開閉蓋３４を回動軸３４ａの周りの回動を抑制し、光ディスク３００をカートリッジ３１から取り出すことができないが、図４Ｂに示したように爪４０ａを除去し、孔４０ｂとすることで開閉蓋３４は回動軸３４ａの周りに回動することができ光ディスク３００を取り出すことができる。
【０００８】
図４Ａ及び図４Ｂに示したカートリッジ３１が収納する光ディスク３００は両面記録再生ディスクであるため、同図の状態で不図示の光ディスク装置に装着すると、光ディスク装置の光ピックアップで記録再生する情報層は板部３２ｂに対向しており、板部３２ａと対向する光ディスク３００の面を記録再生する場合には、カートリッジ３１を同図の状態から裏返して用いる。従って、カートリッジ３１は表裏とも用いるため、カートリッジ２１と異なり、カートリッジ３１のグリッパースロット３６ａ及び３６ｂとオートローディング引掛け３７ａ及び３７ｂの側壁３３ａ及び３３ｂは、図示のように板部３２ａ側及び板部３２ｂ側共に切り掛かれている。また、上述したように光ディスク３００は両面記録再生光ディスクであるため、記録禁止識別子も２８ａ及び２８ｂを備えている。
【０００９】
このように、片面記録再生光ディスク２００に適用するカートリッジとしてはカートリッジ２１が用いられ、両面記録再生光ディスク３００に適用するカートリッジとしてはカートリッジ３１が用いられ、カートリッジ２１は光ディスク装置に装着できないことで、光ディスク２００の非記録再生面に光ピックアップが追従しようとし、追従できないためエラーが生じることを抑制でき、カートリッジ３１は裏返して光ディスク装置に装着できる構成を備えることで、光ディスク３００の両面に備える情報層に対し適正に記録再生することができる。また、カートリッジ２１及び３１共に、記録禁止識別子２８ａ、３８ａ及び３８ｂを備えることで、例えば重要なデータを上書きすることで散逸してしまうことを抑制することができ、その上爪３０ａまたは爪４０ａで光ディスク２００または３００をカートリッジ２１または３１から取り出した可能性も検知することができ、光ディスク２００または３００の記録特性を保証することができる。
【特許文献１】特開平９−０４５０３２号公報
【発明の開示】
【発明が解決しようとする課題】
【００１０】
近年、ＤＶＤレコーダ及び／またはコンピュータの端末として用いるＤＶＤドライブ（いわゆる光ディスク装置）の普及に伴い、用いる記録型ＤＶＤディスク（以下ＤＶＤディスクと称す）も多様化と安価とを要求されている。多様化とは、記録するユーザ情報信号の容量に応じて、片面記録再生光ディスクが求められたり両面記録再生光ディスクが求められたりする。上述のように片面記録再生光ディスク２００として専用のカートリッジ２１があり、両面記録再生光ディスク３００として専用のカートリッジ３１があるが、ＤＶＤディスクを製造販売するメーカとしては専用のカートリッジそれぞれに金型が必要であり、周知のように金型は高価でありその上金型交替に際しては長時間かかるため、専用カートリッジの金型を備え、しかも金型交替を頻繁には行うことによる時間的ロスを考慮して、両面記録再生光ディスク３００用のカートリッジ３１を片面記録再生光ディスク２００にも適用することがＤＶＤディスク製造面から要請される。
【００１１】
しかしながら、片面記録再生ディスク２００をカートリッジ３１に収納すると、前述したようにカートリッジ３１を裏返ししても光ディスク装置に装着できるため、例えば光ディスク２００のレーベル面に対しても光ディスク装置が一端記録再生動作を行い、記録または再生不可能であると認識しアラーム等を発するまでユーザは無駄に待つことが要請されるし、例えば両面記録再生光ディスク３００を片面仕様としてカートリッジ３１に収納した場合では、リードイン領域等に予め記録した記録再生不能である情報を読み取って初めてエラー等を発するため、この場合もユーザにとって無駄に待つ時間が要請される。なお、両面記録再生光ディスク３００を片面仕様としてカートリッジ３１に収納する場合には、記録再生不可の情報層側のリードイン領域及び／またはデータ領域に何らかの信号を記録しておくことはＤＶＤディスクメーカの自主性に任されているため、記録再生不可の情報層は明確に光ディスク装置で認識する必要がある。さらに、カートリッジ３１はそもそも両面記録再生光ディスク３００用として適用されているため、特に記録不可情報を誤って認識すると、重要なユーザデータを消して上書きしてしまう致命的な欠陥が生じる危険性を回避する必要がある。
【００１２】
本発明は、係る課題に鑑み、片面記録再生ディスクの記録可能面のみを正確に認識させることができ、しかも金型の基本構成を共通にすることで安価な片面記録再生光ディスク用カートリッジを提供することを目的とする。
【課題を解決するための手段】
【００１３】
本発明のカートリッジは、ユーザデータ信号を記録再生するデータ領域及び前記データ領域の内周にデータの帰属を示す情報を記録したリードイン領域を備える円盤状記録媒体を収納する媒体収納部と、前記媒体収納部を形成する略矩形形状の一対の板部と、前記板部を前記媒体収納部の高さだけの間隙を規定する一対の側壁と、前記媒体収納部から前記円盤状記録媒体を外部に取り出す取出口を開閉する開閉蓋と、前記板部に備え前記円盤状記録媒体を一部露出する開口部と、前記開口部を開閉するシャッター部材と、前記一対の側壁の前記開閉蓋側に凹状に前記円盤状記録媒体側に陥没する一対のグリッパースロット部と、前記一対の側壁の前記シャッター部材側に略三角形状に前記円盤状記録媒体側に陥没する一対のオートローディング引掛け部と、前記開閉蓋を解放し前記円盤状記録媒体が前記媒体収納部から取り出された可能性を識別させる爪部と、前記円盤状記録媒体への記録可否を設定する記録可否設定部とを備え、前記媒体収納部に収納する前記円盤状記録媒体は一方の面にのみ記録が可能な情報層を有する片側記録媒体であり、前記記録可能な情報層に対する記録可否を設定する前記記録可否設定部と、前記円盤状記録媒体の基板を介して前記記録可能な情報層と対向する面に対し片面記録媒体を識別する片面記録識別孔を穿った構成を有する。
【発明の効果】
【００１４】
上記構成を有するため本発明のカートリッジは、片面記録再生可能情報媒体を正確に光ディスク装置で検知でき、例えばリードイン領域及び／またはデータ領域に予め記録されている記録不可情報を読み取ることなく速やかに判定することができるため、ユーザに無駄な時間を強要することがないと共に、情報媒体に記録したユーザデータを誤って上書きし当該ユーザデータを損なうことが抑制できる。さらに、上述の効果を実現できるカートリッジを安価に製造することができるため、記録型情報媒体のコストを低減することができる。
【発明を実施するための最良の形態】
【００１５】
次に本発明のカートリッジに係る最良の形態について詳述する。図１は、本発明のカートリッジにおける実施形態の構成を示す平面図で、（ａ）は通常ディスクのＡ面と称される第１面をカートリッジの下側にした平面図、（ｂ）は通常ディスクのＢ面を称される第２面をカートリッジの下側にした平面図である。図において１はカートリッジ２ａ及び２ｂは不図示の光ディスクを収納する媒体収納部を形成する略矩形形状の板部、３ａ及び３ｂは板部２ａ及び２ｂの間隙を媒体収納部の略高さに規定する一対の側壁、４は媒体収納部に収納した光ディスクを媒体収納部から取り出す取出口を開閉する開閉蓋、４ａは開閉蓋４を回動する回動軸、５は板部２ａ及び２ｂに備える開口部（図３Ａ及び図４Ａ参照）を開閉するシャッター部材、６ａ及び６ｂは開閉蓋４側における側壁３ａ及び３ｂの面からそれぞれ凹状に陥没する一対のグリッパースロット、７ａ及び７ｂはシャッター部材５側における側壁３ａ及び３ｂの面からそれぞれ略三角形状に陥没する一対のオートローディング引掛け部である。８ａ〜８ｄは不図示の光ディスク装置が備えるアライメントピンが挿入し当該トレイ中でカートリッジ１の位置決めを行う孔で、８ａ及び８ｃは開閉蓋４に対して平行な長方形状で一対の短辺を半円形状にしたいわゆる長孔で一般的にアライメント孔と称され、８ｂ及び８ｄは円形形状の孔で一般的にロケーション孔と称される。なお、アライメント孔８ａ及び８ｃ、ロケーション孔８ｂ及び８ｄは貫通孔であってもアライメントピンが埋没する所定に深さ（例えば１．２ｍｍ以上）を有する非貫通の穴であってもよい。９は光ディスクを媒体収納部から１回でも取り出した可能性の履歴を示す爪部で、一般的に爪部９が板部２ａまたは２ｂ（図では（ａ）の状態で爪部９を認識するため、板部２ｂ）に対して略面一の場合は取り出した履歴はないと検出する。以下述べる本実施形態では、カートリッジ１に収納する記録媒体はＡ面のみ記録可能で、Ａ面に対向するＢ面は記録不能として説明する。１０ａは光ディスクのＡ面に対する記録可否を設定する記録可否設定部で、例えば図６に示したように記録禁止用識別孔（書き込み禁止穴とも称される）を可動子によりスライドさせ記録可否を設定し、通常爪部９と同様に板部２ｂと略面一状態を記録可能孔が穿った状態を記録不可状態とする。１０ｂは光ディスクのＡ面のみ記録及び再生が可能でＢ面は記録及び再生できない、換言するとＡ面のみ記録及び再生できる片面記録ディスクを識別する片面記録識別孔である。
【００１６】
カートリッジ１に収納した情報媒体を記録再生する光ディスク装置は、一般的に当該カートリッジ１を載置し、カートリッジ１に収納した情報媒体を回転させるモータ及び情報媒体に対しユーザ情報信号の授受を担う光ピックアップに係合する位置までカートリッジ１をローディングするトレイを適用する。このトレイにはアライメント孔８ａ及びロケーション孔８ｂまたはアライメント孔８ｃ及びロケーション孔８ｄと係合するアライメントピン、及び一対のグリッパースロット６ａ及び６ｂと係合する突起とを備える。このアライメントピン及び突起により載置したカートリッジ１とトレイとの位置決めが行われる。なお、光ディスク装置がカートリッジ１の有無、カートリッジ１に収納した情報媒体の状態等を検出する箇所は、図１に示したようにシャッター部材５を上側とすると、カートリッジ１の左角の下面のトレイ載置面である。すなわち、円盤状記録媒体の情報層の状態は当該情報層が対向するカートリッジ１の板部に記述されることになり、図１（ａ）の状態では同図（ｂ）に示した板部２ｂの図面右角の爪部９及び記録可否設定部１０ａを光ディスク装置が検知する。同図では記録可否設定部１０ａは記録可能に設定されているため、光ディスク装置は同図（ａ）の状態で光ピックアップと対向する情報層Ａ面が記録許可されていることを認識する。記録可否設定部１０ａが例えば図５及び６で説明したようにスライダーにより板部２ｂから陥没している場合には、光ディスク装置は記録不可であると認識し、記録動作を行わず再生動作のみ行う。また、爪部９は板部２ｂの面と略面一であるため、カートリッジ１に収納されている円盤状記録媒体は取り出されていないと認識し、当該円盤状記録媒体の情報層にユーザ情報信号を記録する際には通常の記録動作で記録を開始する。一方、爪部９が取り除かれ板部２ｂの面から陥没していると、実際にカートリッジ１に収納した円盤状記録媒体を媒体収納部から取り出していない場合でも、当該円盤状記録媒体の情報層に対し欠陥等の有無を検知した後記録動作を行う。
【００１７】
カートリッジ１に収納されている円盤状記録媒体に対し、情報信号の記録及び再生を不可とするＢ面は、当該Ｂ面が対向する板部２ａに片面記録識別孔１０ｂがユーザが塞げないように予め開口されているため、光ディスク装置が片面記録識別孔１０ｂを検出することで、例えばレーベル面や何らかの事情で記録できない面に対して記録動作を行うことも再生動作を行いこともない。従って、グリッパースロット６ａと６ｂ、及びオートローディング引掛け部７ａと７ｂの形状は図４Ａに示した両面記録対応のカートリッジ３１と同じであるにもかかわらず、片面記録識別孔１０ｂを備えることによって、少なくともカートリッジ１を光ディスク装置にローディングを完了した時点で片面記録対応のディスクがカートリッジ１に収納され、しかもＢ面には記録も再生もできないことを認識することができ、例えばレーベル面を光ピックアップが読み取り読み取り不可能である旨で警告を出すまでに要する時間を短縮することができ、例えばリードイン領域及び／またはデータ領域に記録不可の情報を予め記述した円盤状記録媒体の場合であっても、カートリッジ１のローディング完了から光ピックアップによる読み取るまでに要する時間が短縮することができる。なお、円盤状記録媒体の面の状態は、上述したように当該面が対向する板部２ａまたは２ｂの一方の角部で検知するため、記録可否設定部１０ａと同様に、片面記録識別孔１０ｂは板部２ｂまで貫通していてもよい。なお、上述したように片面記録識別孔１０ｂを検知すると、光ディスク装置は記録動作及び再生動作ともに禁止するアルゴリズムまたはメカニズムを備えることが好ましい。また、片面記録識別孔１０ｂが記録可否設定部１０ａと係合しないように、例えば図１に示したように記録可否設定部１０ａよりも側壁３ｂ側に備えることで対応できる。特に図１で示した片面記録識別孔１０ｂの位置は、例えば図４Ａの両面対応のカートリッジ３１においても記録可否設定部３８よりも側壁３３ｂに備えるため、両面対応カートリッジ３１でも片面対応カートリッジ１でも本来空きスペースであるため、何ら支障なく片面記録識別孔１０ｂを穿つことができる。
【００１８】
なお、片面記録識別孔１０ｂの中心位置及び／またはその直径によっては、記録可否設定部１０ａと近接するため、片面記録識別孔１０ｂと記録可否設定部１０ａとを誤検出する可能性がある。本実施形態では図１に示したように、片面記録識別孔１０ｂ及び記録可否設定部１０ａの双方とも対向する板部２ａ及び２ｂまで貫通していないためその影響は少ないが、貫通している場合には誤検出の可能性が高くなる。
【００１９】
一方、カートリッジ１の各種寸法は例えばＪＩＳＸ６２４４にて、ロケーション孔８ｂ及び８ｄの中心点を基準点として規定され、また記録可否設定部１０ａの中心点の位置等も当該ロケーション孔８ｄを基準として規定されている。図２に同実施形態のロケーション孔８ｂ及び片面記録識別孔１０ｂ近傍の拡大図を示す。なお、参考のため記録可否設定部１０ａの仮想位置も破線で示す。以下の説明ではシャッター５側を上、開閉蓋４側を下とし、板部２ａの右側壁を３ｂとする。ロケーション孔８ｂは上述の規格で、開閉蓋４から右側壁３ｂに平行な距離Ｌ1は２２．８ｍｍ以上２３．２ｍｍ以下、右側壁３ｂから開閉蓋４に平行な距離Ｌ2は１１．０ｍｍ以上１１．４ｍｍ以下の範囲に中心点を有し、当該中心点とする直径４．００ｍｍ以上４．０５ｍｍの円形孔と規定されている。また、記録可否設定部１０ａは同規格において、ロケーション孔８ｂの中心点から右側壁３ｂに平行な距離Ｌ3は１８．３ｍｍ以上１８．７ｍｍ以下、ロケーション孔８ｂの中心点から開閉蓋４に平行に左側壁３ａ（図１（ａ）参照）方向の距離Ｌ5は８．８ｍｍ以上９．２ｍｍ以下の範囲に中心点を有し、当該中心点から直径３．０ｍｍ以上の深さ５．０ｍｍ以上の円形の孔と規定されている。ところで、記録可否設定部１０ａの円形状の孔に嵌合う記録可否検出突起部等（不図示の光ディスク装置に備える）の近傍に検出センサーを備えた方が回路構成等で好ましいが、板部２ａから所定の深さだけ円形状の穴を穿つ片面記録識別孔１０ｂに対して当該記録可否検出突起部が上述の寸法公差に起因して、片面記録を識別する片面記録識別孔１０ｂを記録可否設定部１０ａと誤検出（例えば、片面記録識別孔１０ｂが設けられているにもかかわらず検出できない、または記録可否設定部１０ａを片面記録識別孔１０ｂとして検出する）する可能性がある。
【００２０】
そこで、片側記録識別孔１０ｂと記録可否設定部１０ａとを誤検出しなく、かつ片面記録識別孔１０ｂに嵌合う片面記録検出突起部を記録可否検出突起部のなるべく近傍に設置したいという光ディスク装置側の要望に応えるため、図２に示したように片面記録識別孔１０ｂの開閉蓋４に対し平行なロケーション孔８ｂからの距離は、記録可否設定部１０ａの距離Ｌ3と同一にした。また、片面記録識別孔１０ｂの開閉蓋４に対し平行方向で右側壁３ｂからの距離は、記録可否設定部１０ａよりも左側壁３ａ側にするとラベル貼付部２ｃに設けることになるため、記録可否設定部１０ａよりも右側壁３ｂ側とした。さらに、記録可否設定部１０ａに対して嵌合う突起部の外径は記録可否設定部１０ａの内径を考慮して１．５ｍｍの係合部先端を面取りした棒状のロッドとし、ロッドの係合部の他端部には通称検出スイッチと称される圧力で検知するコンタクトスイッチを適用し、専ら用いられている開閉蓋４に対し平行な幅が５ｍｍのコンタクトスイッチを用いた。片面記録識別孔１０ｂを検出する検出スイッチも、記録可否設定部１０ａの検出スイッチを同一のスイッチを適用し、ロケーション孔８ｂの中心から開閉蓋４方向に右側壁３ｂに対して平行な距離はＬ3の公差と同一にして、記録可否設定部１０ａから右側壁３ｂの方向に変化させると共に、片面記録識別孔１０ｂの直径も変化させた試作品を作成し、検出精度を確認した。その結果片面記録識別孔１０ｂの中心点は、ロケーション孔８ｂの中心点から開閉蓋４に対し平行方向の距離Ｌ4が３．４５ｍｍ以上３．５５ｍｍ以下で、片面記録識別孔１０ｂの直径３．１ｍｍ以上３．２ｍｍ以下であれば上記ロッドとコンタクトスイッチとで記録可否設定部１０ａとの誤検出が少なかった。また、距離Ｌ3の寸法交差を１８．４５ｍｍ以上１８．５５ｍｍ以下とすると誤検出は完全に抑制できた。なお、ロッドの径は１．５ｍｍで検討したが、２ｍｍ程度までであれば誤検出の抑制は達成できたが、記録可否設定部１０ａの寸法交差が大きいため記録可否検出で誤検出が生じた。
【００２１】
このようなカートリッジ１は、例えばポリカーボネイト樹脂、ＡＢＳ樹脂、ポリスチレン樹脂等を射出成形で製造するが、図４Ａに示したカートリッジ３１と基本的に同じ金型を適用し成形することができる。すなわち、カートリッジ１を成形する際には片面記録識別孔１０ｂ部分とカートリッジ３１の記録可否設定部３８ｂ部分とを入れ子構造にすることで、片面対応のカートリッジ１と両面対応のカートリッジ３１とを大がかりな金型の入れ替えを行うことなく生産することができ、製造時間が短縮されると共に、片面対応のカートリッジ２１専用金型と両面対応のカートリッジ３１専用金型とを予め準備する必要もなく、金型コストだけでもカートリッジひいてはＤＶＤディスクを安価に提供することができる。
【００２２】
なお、上記実施形態における開閉蓋４は回動軸４ａ廻りに回動する構成で説明したが、媒体収納部中で円盤状記録媒体を遊挿支持する媒体挟持部の摺動に連動して取り出す構成であっても、あるいは例えば特表２００１−５１３９５３号公報開示の何れかの板部をシャッターと共に開く構成であっても何ら問題はない。
【産業上の利用可能性】
【００２３】
本発明によれば、些細な変更だけで片面仕様と両面仕様とに対応できるカートリッジを生産できるため、記録容量の大小に対応できるカートリッジを安価に提供することができる。
【図面の簡単な説明】
【００２４】
【図１】（ａ）は本発明の一実施形態におけるカートリッジの一方の面を説明する平面図、（ｂ）は他方の面を説明する平面図
【図２】同実施形態の要部拡大図
【図３Ａ】片面仕様の記録型光ディスクを収納したカートリッジの平面図
【図３Ｂ】同光ディスクをカートリッジから取り出す様子を説明する平面図
【図４Ａ】両面仕様の記録型光ディスクを収納したカートリッジの平面図
【図４Ｂ】同光ディスクをカートリッジから取り出す様子を説明する平面図
【図５】従来の取出可能カートリッジの平面図
【図６】同カートリッジの要部拡大平面図
【図７】（ａ）は同カートリッジに光ディスクを収納した状態を説明する平面図、（ｂ）は同カートリッジの爪部を取り除いた状態を説明する平面図、（ｃ）はカートリッジから光ディスクを取り出す状態を説明する平面図
【符号の説明】
【００２５】
１  カートリッジ
２ａ、２ｂ  板部
３ａ、３ｂ  側壁
４  開閉蓋
５  シャッター
９  爪部
１０ａ  記録可否設定部
１０ｂ  片面記録識別孔
【図１】
2006127557.tif 000003
【図２】
2006127557.tif 000004
【図３Ａ】
2006127557.tif 000005
【図３Ｂ】
2006127557.tif 000006
【図４Ａ】
2006127557.tif 000007
【図４Ｂ】
2006127557.tif 000008
【図５】
2006127557.tif 000009
【図６】
2006127557.tif 000010
【図７】
2006127557.tif 000011